【事件の表示】
　特願２０１７−２４２５５６「電界発光表示装置及びその駆動方法」拒絶査定不服審判事件〔平成３１年　２月２１日出願公開、特開２０１９−　２８４２６、請求項の数（１５）〕について、次のとおり審決する。
【結　論】
　原査定を取り消す。
　本願の発明は、特許すべきものとする。
【理　由】
第１　手続の経緯
　本願は、平成２９年１２月１９日にされた特許出願（パリ条約による優先権主張、平成２９年７月２７日、韓国）である。
　平成３０年１２月７日付けで拒絶理由が通知（発送日：平成３０年１２月１３日）された後、平成３１年３月１３日付けで特許請求の範囲についての補正がされ、さらに平成３１年４月３日付けで最後の拒絶理由が通知（発送日：平成３１年４月９日）された後、令和元年７月１日付けで特許請求の範囲についての補正がされ、同年７月１７日付けで拒絶査定（以下「原査定」という。）がされ、同年７月２３日に査定の謄本が送達された。
　これに対して、令和元年１１月１５日に拒絶査定不服審判が請求され、同時に特許請求の範囲についての補正（以下「本件補正」という。）がされ、同年１２月５日付けで前置報告がされた。
第２　原査定の概要
　原査定（令和元年７月１７日付け拒絶査定）の概要は以下のとおりである。
２．（新規性）この出願の下記の請求項に係る発明は、その優先日前に日本国内又は外国において、頒布された下記の刊行物に記載された発明又は電気通信回線を通じて公衆に利用可能となった発明であるから、特許法第２９条第１項第３号に該当し、特許を受けることができない。
３．（進歩性）この出願の下記の請求項に係る発明は、その優先日前に日本国内又は外国において、頒布された下記の刊行物に記載された発明又は電気通信回線を通じて公衆に利用可能となった発明に基いて、その優先日前にその発明の属する技術の分野における通常の知識を有する者が容易に発明をすることができたものであるから、特許法第２９条第２項の規定により特許を受けることができない。
・請求項　１−４
・引用文献等　１
　出願人は、令和１年７月１日付け提出の意見書において、
『（ＩＩ）　審査官殿は、請求項１の第３、第４段落に関して、第１カラーのセンシングデータに基づいてピクセルの特性が一括して補償されている構成であるのか、又は、ピクセルを形成する複数カラーのピクセルが各々独立して補償されている構成であるのか、どちらの構成であるのか不明である、と指摘なさいました。前者は本願明細書の段落［００７１］〜［００９２］、図９〜１４に記載される１カラーセンシング方式を、後者は本願明細書の段落［００６２］〜［００７０］、図６〜８に記載される４カラー順次センシング方式を意図しているものと思料します。
　現在の請求項１に係る発明は、これら２つの方式をどちらも含むものです。したがって、そのことを強調するために、「前記第１カラーのセンシングデータに基づいて少なくとも前記第１カラーのピクセルの電気的特性の補償値を計算する」と補正しました。これにより、１カラーセンシング方式と４カラー順次センシング方式の両方を含むことが明確になったものと思料します。』旨主張している。
　しかしながら、令和１年７月１日付けの補正により、第１カラーのセンシングデータに基づいて（他の色のピクセルも含めて）ピクセルの特性が一括して補償されている構成以外に、第１カラーのセンシングデータに基づいて第１カラーのピクセルの電気的特性を補償してなる構成（１つのサブピクセルに対応して、１つのセンシング回路が設けられてなる構成）をも含み得るものとなった（補正後の請求項においては、発明特定事項が上位概念化されたものと認められる。）。
　ここで、第１カラーのセンシングデータに基づいて第１カラーのピクセルの電気的特性を補償してなる構成、即ち、１つのサブピクセルに対応して１つのセンシング回路が設けられてなる構成は、平成３０年１２月７日付け拒絶理由通知書において提示した引用文献１に記載されている。
　してみると、上記意見書における出願人の主張を採用し、特許とすることはできない。
＜拒絶理由が解消されているか否かについての判断を行っていない請求項＞
　令和１年７月１日付け手続補正書による補正により、平成３０年１２月７日付け拒絶理由が解消していないこととなった。ここで、平成３０年１２月７日付け拒絶理由においては、請求項５〜１７（補正後の請求項５〜１５に相当する。）に関して、新規性及び進歩性等の判断を行っていない。
　よって、請求項５〜１５に係る発明については、平成３０年１２月７日付け拒絶理由通知に記載した拒絶理由が解消されているか否かについての判断を行っていない。
　　　　　　　　　　　　　　＜引用文献等一覧＞
１．特開２０１６−００９１８５号公報
第３　本願発明
　本願請求項１−１５に係る発明（以下、それぞれを「本願発明１」−「本願発明１５」という。）は、令和元年１１月１５日付けの手続補正で補正された特許請求の範囲の請求項１−１５に記載された事項により特定される、以下のとおりの発明である。
「　【請求項１】
　複数のデータラインと、
　複数のセンシングライン及び複数のゲートラインが備えられ、前記複数の前記データラインと前記複数の前記ゲートラインとの交点ごとにマトリクス状に配置され、複数の表示ラインを構成するピクセルが備えられた表示パネルであって、前記ピクセルが複数カラーのピクセルを含む、表示パネルと、
　前記複数カラーの内の第１カラーのピクセルに流れるピクセル電流をセンシングして第１カラーのセンシング電圧を得て、第１カラーのセンシング動作期間の間、前記センシング電圧に基づいて第１カラーのセンシングデータを生成するセンシング回路と、
　前記第１カラーのセンシングデータに基づいて前記複数カラーの２つ以上のカラーの前記ピクセルの電気的特性の補償値を計算する補償部とを含む電界発光表示装置。
　　【請求項２】
　前記センシング回路は、センシングユニットを含み、
　前記センシングユニットは、
　前記センシングラインに接続され、前記センシングラインから前記ピクセル電流を受信する反転入力端子、基準電圧を受信する非反転入力端子及び前記センシング電圧を出力する出力端子を含む増幅器と、
　前記反転入力端子と前記出力端子との間に接続された積分キャパシターと、
前記積分キャパシターの両端に接続された第１スイッチとを含む、請求項１に記載の電界発光表示装置。
　　【請求項３】
　前記複数カラーのピクセルのそれぞれは、
　前記ピクセル電流に応じて発光するＯＬＥＤと、
　第１ノードに接続されたゲート電極、高電位駆動電圧に接続されたドレイン電極及び第２ノードに接続されたソース電極を含み、ゲート−ソース間電圧に応じて前記ピクセル電流を生成する駆動ＴＦＴと、
　前記ゲートラインの内、いずれか１つに接続されるゲート電極、前記データラインの内、いずれか１つに接続されるドレイン電極と前記第１ノードに接続されるソース電極を含む第１スイッチＴＦＴと、
　前記ゲートラインの内、いずれか１つに接続されたゲート電極、前記センシングラインの内、いずれか１つに接続されたドレイン電極及び前記第２ノードに接続されたソース電極を含む第２スイッチＴＦＴとを含む、請求項２に記載の電界発光表示装置。
　　【請求項４】
　前記センシング動作期間は、初期化期間とセンシング期間を含み、
　前記初期化期間において、前記第１スイッチ、前記第１スイッチＴＦＴ及び前記第２スイッチＴＦＴがターンオンされ、前記第２ノードを前記基準電圧に初期化しデータラインを介して前記第１ノードにセンシング用データ電圧を印加し、前記駆動ＴＦＴに前記第１ノードと前記第２ノードとの間の電位差に対応するピクセル電流が流れるようにし、
　前記センシング期間において、前記第１スイッチＴＦＴと、前記第２スイッチＴＦＴがターンオンされた状態で維持され、前記第１スイッチがターンオフされて、前記駆動ＴＦＴに流れるピクセル電流を前記増幅器に統合させて前記センシング電圧を出力する、請求項３に記載の電界発光表示装置。
　　【請求項５】
　前記センシング回路は、２ポイント電流センシング方式を用いて、１ラインセンシングオン時間の内、前記第１カラーのピクセルに含まれた駆動ＴＦＴの閾値電圧と電子の移動度を連続的にセンシングし、
　前記１ラインセンシングオン時間は、一つの表示ラインに配列された一つの特定の色のピクセルだけを感知するように割り当てられた時間を意味する、請求項１に記載の電界発光表示装置。
　　【請求項６】
　前記補償部はメモリから閾値電圧に関連する補償パラメータ及び電子移動度に関する補償パラメータを検索し、
　前記センシング回路は、前記表示ラインのそれぞれについて、前記第１カラーのピクセルを繰り返して、２ポイントセンシングして前記閾値電圧をセンシングするための第１センシングデータと前記電子移動度をセンシングするための第２センシングデータを得て、
　前記補償部は、前記第１カラーのピクセルに対して獲得された前記第１センシングデータに基づいて前記第１カラーのピクセルと他の色のピクセル間の駆動ＴＦＴの閾値電圧補償値と電子移動度補償値を計算し、前記第１カラーのピクセルに対して獲得された前記第２センシングデータに基づいて前記第１カラーのピクセルと他の色のピクセル間の駆動ＴＦＴに対する前記閾値電圧に関連補償パラメータを更新し、前記電子移動度補償値としてメモリ内の電子の移動度に関連する補償パラメータを更新する、請求項５に記載の電界発光表示装置。
　　【請求項７】
　前記センシング回路は、
　低階調領域の第１ポイントと高階調領域の第２ポイントを電圧‐電流曲線上で使用して、前記第１ポイントに対応する第１センシング用データ電圧と前記第２ポイントに対応する第２センシング用データ電圧を生成し、
　前記１ラインセンシングオン時間に含まれ、前記閾値電圧を感知するための第１区間で前記第１センシング用データ電圧に応じた第１ピクセル電流を感知し、
　前記第１区間は、第１初期化期間と第１センシング期間を含み、前記第１初期化期間の内に対応する表示ラインの前記第１カラーのピクセルには、前記第１ピクセル電流が流れ、
　前記第１センシング期間の内、前記１つの第１カラーのピクセルに流れる前記第１ピクセル電流を積分して第１センシング電圧を出力し、前記第１センシング電圧に基づいて、
第１センシングデータを生成し、
　前記１ラインセンシングオン時間に含まれており、前記電子移動度を感知するための第２区間で前記第２センシング用データ電圧に応じた第２ピクセル電流を感知し、
　前記第２区間は、第２初期化期間と第２センシング期間を含み、前記第２初期化期間の内に対応する表示ラインの前記第１カラーのピクセルには、前記第２ピクセル電流が流れ、
　前記第２センシング期間の内、前記１つの第１カラーのピクセルに流れる前記第２ピクセル電流を積分して第２センシング電圧を出力し、前記第２センシング電圧に基づいて第２センシングデータを生成する、請求項６に記載の電界発光表示装置。
　　【請求項８】
　前記第１区間は、前記第２区間より長い、請求項７に記載の電界発光表示装置。
　　【請求項９】
　前記補償部は、
　前記第１センシングデータに係る閾値電圧変化量を導出し、前記閾値電圧に関連する補償パラメータに含まれた初期閾値電圧補償値に前記閾値電圧の変化量を加算した後、その加算結果に各色のオフセットを加えて、それぞれの色のピクセルで駆動ＴＦＴを駆動するための閾値電圧補償値を計算し、
　前記第２センシングデータによる電子移動度の変化を導出し、前記電子移動度に関連する補償パラメータに含まれた初期電子移動度補償値に前記電子移動度の変化量を加算した後、前記加算結果に各色の加重値を乗じて、各色のピクセルで駆動ＴＦＴを駆動するための電子移動度補償値を計算する、請求項６に記載の電界発光表示装置。
　　【請求項１０】
　複数のデータライン、複数の感知ライン、複数のゲートライン、及び前記複数の前記データラインと前記複数の前記ゲートラインとの間の各交差点でマトリックス形態に配列された複数カラーのピクセルを含む表示パネルを含む電界発光表示装置の駆動方法において、
　センシング動作区間の間に、前記複数カラーの内の第１カラーのピクセルのピクセル電流をセンシングする段階と、
　前記第１カラーのセンシング電圧を得るために、前記ピクセル電流を統合し、前記センシング電圧に基づいて前記第１カラーのセンシングデータを生成する段階と、
　前記第１カラーのセンシングデータに基づいて前記複数カラーの２つ以上のカラーの前記ピクセルの電気的特性の補償値を計算する段階とを含む電界発光表示装置の駆動方法。
　　【請求項１１】
　前記第１カラーのピクセルに含まれた駆動ＴＦＴの閾値電圧と電子移動度は２ポイント電流センシング方式を使用して、１ラインセンシングオン時間内で連続的にセンシングされ、
　前記１ラインセンシングオン時間は、一つの表示ラインに配置された第１カラーのピクセルだけを感知するように割り当てられた時間を意味する、請求項１０に記載の電界発光表示装置の駆動方法。
　　【請求項１２】
　前記２ポイント電流センシング方式を用いて、前記１ラインセンシングオン時間の内で、前記第１カラーのピクセルに含まれた駆動ＴＦＴの前記閾値電圧と電子の移動度を連続的に感知する段階は、
　メモリから前記閾値電圧に関連する補償パラメータ及び電子移動度に関する補償パラメータを検索する段階と、
　前記表示ラインのそれぞれについて、前記第１カラーのピクセルを繰り返して、２ポイントセンシングして前記閾値電圧をセンシングするための第１センシングデータと前記電子移動度をセンシングするための第２センシングデータを得る段階と、
　前記第１カラーのピクセルに対して獲得された前記第１センシングデータに基づいて前記第１カラーのピクセルと他の色のピクセル間の駆動ＴＦＴの閾値電圧補償値と電子移動度補償値を計算する段階と、
　前記第１カラーのピクセルに対して獲得された前記第２センシングデータに基づいて前記第１カラーのピクセルと他の色のピクセル間の駆動ＴＦＴに対する前記閾値電圧に関連する補償パラメータを更新し、前記電子移動度補償値でメモリ内の電子の移動度に関連する補償パラメータを更新する段階を含む、請求項１１に記載の電界発光表示装置の駆動方法。
　　【請求項１３】
　前記１つの第１カラーのピクセルについて前記２ポイントセンシングを実行する段階は、
　低階調領域の第１ポイントと高階調領域の第２ポイントを電圧‐電流曲線上で使用して、前記第１ポイントに対応する第１センシング用データ電圧と前記第２ポイントに対応する第２センシング用データ電圧を生成する段階と、
　前記１ラインセンシングオン時間に含まれ、前記閾値電圧を感知するための第１区間で前記第１センシング用データ電圧に応じた第１ピクセル電流を感知し、前記第１区間は、
第１初期化期間と第１センシング期間を含み、前記第１初期化期間の内に対応する前記表示ラインの前記第１カラーのピクセルには、前記第１ピクセル電流が流れる段階と、
　前記第１センシング期間の内、前記１つの第１カラーのピクセルに流れる前記第１ピクセル電流を積分して第１センシング電圧を出力し、前記第１センシング電圧に基づいて、
第１センシングデータを生成する段階と、
　前記１ラインセンシングオン時間に含まれ、前記電子移動度を感知するための第２区間で前記第２センシング用データ電圧に応じた第２ピクセル電流を感知し、前記第２区間は、第２初期化期間と第２センシング期間を含み、前記第２初期化期間の内に対応する前記表示ラインの前記第１カラーのピクセルには、前記第２ピクセル電流が流れる段階と、
　前記第２センシング期間の内に前記第１カラーのピクセルに流れる前記第２ピクセル電流を積分して第２センシング電圧を出力し、前記第２センシング電圧に基づいて第２センシングデータを生成する段階を含む、請求項１２に記載の電界発光表示装置の駆動方法。
　　【請求項１４】
　前記第１区間は、前記第２区間より長い、請求項１３に記載の電界発光表示装置の駆動方法。
　　【請求項１５】
　前記閾値電圧補償値を算出する段階は、
　前記第１センシングデータによる閾値電圧変化量を導出し、前記閾値電圧に関連する補償パラメータに含まれた初期閾値電圧補償値に前記閾値電圧の変化量を加算した後、その加算結果に各色のオフセットを加えて、それぞれの色のピクセルで駆動ＴＦＴを駆動するための前記閾値電圧補償値を計算し、
　前記電子移動度補償値を算出する段階は、
　前記第２センシングデータによる電子移動度の変化を導出し、前記電子移動度に関連する補償パラメータに含まれた初期電子移動度の補償値に前記電子移動度の変化量を加算した後、前記加算結果に各色の加重値を乗じて、各色のピクセルで駆動ＴＦＴを駆動するための電子移動度の補償値を計算する、請求項１２に記載の電界発光表示装置の駆動方法。」
第４　引用文献及び引用発明等
１　引用文献１について
　原査定の拒絶の理由に引用された引用文献１には、以下の記載がある。下線は、当合議体が付した。
「【０００１】
　本発明は、有機発光表示装置に関し、特に、駆動素子の電気的特性の偏差を補償することができる有機発光表示装置に関する。」
「【０００４】
　有機発光表示装置は、ＯＬＥＤをそれぞれ含む画素をマトリックス形態に配列し、ビデオデータの階調に応じて画素の輝度を調節する。画素それぞれは、自身のゲート電極とソース電極との間にかかる電圧（Ｖｇｓ）に応じて、ＯＬＥＤに流れる駆動電流を制御する駆動素子、すなわち、駆動ＴＦＴ（Thin Film Transistor）を含む。
しきい値電圧、移動度などの駆動ＴＦＴの電気的特性は、駆動時間の経過に応じて劣化して、画素ごとに偏差が生じることがある。駆動ＴＦＴの電気的特性が画素ごとに変われば、同じビデオデータに対して画素間の輝度が変化するため、所望する画像実現が難しい。
【０００５】
　
駆動ＴＦＴの電気的特性の偏差を補償する
【０００６】
　外部補償方式は、駆動ＴＦＴの電気的特性（ しきい値電圧、移動度） に対応するセンシング電圧を測定し、このセンシング電圧に基づいて、外部回路でビデオデータを変調することにより、電気的特性の偏差を補償する。最近では、このような外部補償方式の研究が盛んに行われている。」
「【００２２】
　図１は、本発明の実施の形態に係る有機発光表示装置を示し、図２は図１の表示パネルに形成された画素アレイを示す。
【００２３】
　図１及び図２を参照すると、本発明の実施の形態に係る
有機発光表示装置
【００２４】
　
表示パネル１０には、複数のデータラインとセンシングライン（１４Ａ、１４Ｂ）と、複数のゲートライン１５が交差され、この交差領域ごとに画素（Ｐ）がマトリックス形態に配置される。
「【００３６】
　図３及び図４は、本発明の電流センシング方式が適用される、画素（Ｐ）とセンシングユニットの接続構造、及びセンシング原理を示す。」
「【００４０】
　本発明の
センシングユニットに属する電流積分器（ＣＩ）は、
アンプ（ＡＭＰ）と、
積分キャパシター（Ｃｆｂ）と、
第１スイッチ（ＳＷ１）を含む。
【００４１】
　そして、本発明の
センシングユニットに属するサンプリング部（ＳＨ）は、
第２スイッチ（ＳＷ２）、
第３スイッチ（ＳＷ３）、
ホールディングキャパシター（Ｃｈ）を含む。
「【００４５】
　
センシング期間（Ｔｓｅｎ）において、第１スイッチ（ＳＷ１）のターンオフにより、アンプ（ＡＭＰ）は、電流積分器（ＣＩ）で動作して、駆動ＴＦＴ（ＤＴ）に流れるソース−ドレイン間電流（Ｉｄｓ）を積分する。
センシング期間（Ｔｓｅｎ）で、センシングライン（１４Ｂ）を介して流される電流（Ｉｄｓ）は、積分キャパシター（Ｃｆｂ）を介して電圧値の積分値(Ｖｓｅｎ)に生成される。
センシング期間（Ｔｓｅｎ）において、積分値(Ｖｓｅｎ)は、第２スイッチ（ＳＷ２）を経由してホールディングキャパシター（Ｃｈ）に貯蔵される。
【００４６】
　
サンプリング期間（Ｔｓａｍ）において、
ホールディングキャパシタ（Ｃｈ）に貯蔵された積分値(Ｖｓｅｎ)が、第３スイッチ（ＳＷ３）を経由して、ＡＤＣに入力される。積分値(Ｖｓｅｎ)は、ＡＤＣからのデジタルセンシング値（ＳＤ）に変換された後、タイミングコントローラ１１に伝送される。デジタルセンシング値（ＳＤ）は、タイミングコントローラ１１で駆動ＴＦＴのしきい値電圧偏差（△Ｖｔｈ）と移動度偏差（△Ｋ）を導出するために使用される。
　タイミングコントローラ１１は、駆動ＴＦＴ（ＤＴ）に流れるソース−ドレイン間電流（Ｉｄｓ）を補償アルゴリズムに適用して、
偏差値（しきい値電圧偏差（△Ｖｔｈ）と移動度偏差（△Ｋ））と偏差補償のための補償データ（Ｖｔｈ＋△Ｖｔｈ、Ｋ＋△Ｋ）を導出する。
「【図１】
【図２】
【図３】
【図４】
」
　また、図１，２から、「画素（Ｐ）」が複数の表示ラインを構成することが読み取れる。
これらの記載から、引用文献１には、以下の発明（以下「引用発明」という。）が記載されていると認められる。
「複数のデータラインとセンシングライン（１４Ａ、１４Ｂ）と、複数のゲートライン１５が交差され、この交差領域ごとに画素（Ｐ）がマトリックス形態に配置され、複数の表示ラインを構成するようにされた表示パネル１０と、（【００２４】、図１、図２）
　電流積分器（ＣＩ）及びサンプリング部（ＳＨ）が属するセンシングユニットであって、
　前記電流積分器（ＣＩ）は、アンプ（ＡＭＰ）と、積分キャパシター（Ｃｆｂ）と、第１スイッチ（ＳＷ１）を含み、
　前記サンプリング部（ＳＨ）は、第２スイッチ（ＳＷ２）、第３スイッチ（ＳＷ３）、及びホールディングキャパシター（Ｃｈ）を含む、センシングユニットと、（【００４０】、【００４１】、図２）
　センシング期間（Ｔｓｅｎ）において、第１スイッチ（ＳＷ１）のターンオフにより、アンプ（ＡＭＰ）は、電流積分器（ＣＩ）で動作して、駆動ＴＦＴ（ＤＴ）に流れるソース−ドレイン間電流（Ｉｄｓ）を積分し、センシングライン（１４Ｂ）を介して流される電流（Ｉｄｓ）は、積分キャパシター（Ｃｆｂ）を介して電圧値の積分値(Ｖｓｅｎ)に生成され、積分値(Ｖｓｅｎ)は、第２スイッチ（ＳＷ２）を経由してホールディングキャパシター（Ｃｈ）に貯蔵され（【００４５】、図３、図４）
　サンプリング期間（Ｔｓａｍ）において、ホールディングキャパシタ（Ｃｈ）に貯蔵された積分値(Ｖｓｅｎ)が、第３スイッチ（ＳＷ３）を経由して、ＡＤＣに入力され、積分値(Ｖｓｅｎ)は、ＡＤＣからのデジタルセンシング値（ＳＤ）に変換された後、タイミングコントローラ１１に伝送され、（【００４６】、図３、図４）
　デジタルセンシング値（ＳＤ）は、タイミングコントローラ１１で駆動ＴＦＴのしきい値電圧偏差（△Ｖｔｈ）と移動度偏差（△Ｋ）を導出するために使用され、偏差値（しきい値電圧偏差（△Ｖｔｈ）と、移動度偏差（△Ｋ））と、駆動ＴＦＴの電気的特性の偏差を補償する偏差補償のための補償データ（Ｖｔｈ＋△Ｖｔｈ、Ｋ＋△Ｋ）を導出する、タイミングコントローラ１１と、（【０００５】、【００４６】）
　を備えた有機発光表示装置。（【００２３】）」
２　その他の文献について
　前置報告書において引用された引用文献２（特表２０１０−５０３００７号公報）及び引用文献３（特開２００９−２７６６７２号公報）には、それぞれ以下の記載がある。下線は、当合議体が付した。
引用文献２
「【００２１】
　ＯＬＥＤディスプレイに付随する問題の１つは、時間とともに画素が「焼き付く」こと、すなわち、使用するにつれて所与の駆動電流（従って明度）のために必要な駆動電圧が増えてしまうことである。具体的には、所与の電流における明度は、ＯＬＥＤディスプレイの駆動初期に急激に下がることがあり、その後、より一様に明度が減衰していく。従って、異なるが関連性のある２つの問題が焼き付きから発生し得る。第１に、使用につれて進むディスプレイの全体的なエージングであり、第２に、画像の焼き付き、すなわち画像を持続的に表示することによりディスプレイの画素のエージングがまちまちになり得るこ
とである。スクリーンセーバーはこの問題に対処するための１つの技術となるが、それはコンピュータモニタディスプレイ関連だけの話であり、例えば、テレビチャンネルでは、ロゴなどの印を控えめに画面の隅に表示し続けることがますます一般的になってきている。ＯＬＥＤディスプレイに付随するさらなる問題は、長期間にわたって駆動されないまま保管されたディスプレイが、長期にわたって保管されることなく駆動されたディスプレイと比べて、明度の低下という損害を被る場合があるということである。この明度低下の理由として考えられるのは、封止が不完全なディスプレイへの水分と酸素の侵入や、あるい
はディスプレイのある層から他の層への化学種の移動（ 例えば、金属イオンのカソード層から有機層への移動） である。
【００２２】
　多くのＯＬＥＤ材料システムにとって、所与の電流および温度についての、駆動時間にともなう駆動電圧の上昇は、デバイスの効率の衰えと相互に関連し得るものである。ＯＬＥＤの端子間の電圧降下を監視しそれに応じて駆動信号を補正するという補償手法の実装を試みることは可能であろう。しかしながら、この手法には、ＯＬＥＤの端子間の電圧降下が温度にもつれて変化し、その結果ディスプレイ各所の明るさがディスプレイ各所の温度に応じて変化しかねない、という点で欠点がある。」
「【００２３】
　そこで、本発明によれば、ＯＬＥＤディスプレイデバイスを
ＯＬＥＤディスプレイの画素の焼き付きについて補償する方法であって、
「【００３０】
　通常の表示用途ではアクティブである画素で試験画素が構成される本方法の実施の形態では、本方法は、
監視される画素を基準として、１つ以上の他の画素の効率の低下（など）を求めることによって、ディスプレイに対する駆動を補償してよい。
試験画素の測定された電圧降下を予測された電圧降下と比較することによって、ディスプレイの他の画素に対する駆動を補償してよい。
「【００３１】
　当業者は、上述の技術がモノクロおよびカラーの両ディスプレイに適用可能であることを理解するであろう。従って、画素に関する言及は、カラーディスプレイのサブピクセルを含む。
カラーディスプレイでは、
青色サブピクセルの効率低下を赤色
または緑色のサブピクセルとは別に推定し補償する
引用文献３
「【０００４】
　ところで、
有機ＥＬ素子においては、発光することで輝度が低下
「【０００７】
　つまり、前記の
輝度の低下は、焼きつきとして認識され画質を著しく悪化させてしまう。
「【００６８】
　有機ＥＬ素子は、発光層、電荷注入層他の多層膜からなっており、異なる色の有機ＥＬ素子は、発光材料が異なるだけでなく、各膜の厚さが色ごとに異なっている。
【００６９】
　
Ｒ、Ｇ、Ｂのように色の異なる有機ＥＬ素子からなる表示装置においては、劣化量と表示しようとする輝度によって決まる補正量が、それぞれの色毎に異なっても良い。
一つの劣化検出手段で全ての色の素子の劣化量を検出してもよい。
【００７０】
　劣化量を判断する手段は、必ずしも補正をかける画素そのものから検出する必要はない。該画素と同等の駆動を行なった
別の画素での劣化量をもって、該画素の劣化量を推定してもよい。
第５　対比、判断
１　本願発明１について
（１）対比
ア　引用発明の「複数のデータラインとセンシングライン（１４Ａ、１４Ｂ）と、複数のゲートライン１５が交差され、この交差領域ごとに画素（Ｐ）がマトリックス形態に配置され、複数の表示ラインを構成するようにされた表示パネル１０」と、本願発明１の「複数のデータラインと、複数のセンシングライン及び複数のゲートラインが備えられ、前記複数の前記データラインと前記複数の前記ゲートラインとの交点ごとにマトリクス状に配置され、複数の表示ラインを構成するピクセルが備えられた表示パネルであって、前記ピクセルが複数カラーのピクセルを含む、表示パネル」とは、「複数のデータラインと、複数のセンシングライン及び複数のゲートラインが備えられ、前記複数の前記データラインと前記複数の前記ゲートラインとの交点ごとにマトリクス状に配置され、複数の表示ラインを構成するピクセルが備えられた表示パネル」である点で共通する。
イ　引用発明において「駆動ＴＦＴ（ＤＴ）に流れるソース−ドレイン間電流（Ｉｄｓ）を積分し、」「電圧値の積分値(Ｖｓｅｎ)に生成され」ることは、本願発明１において「ピクセルに流れるピクセル電流をセンシングして」「センシング電圧を得」ることに相当し、また、引用発明において「サンプリング期間（Ｔｓａｍ）において、」「ホールディングキャパシタ（Ｃｈ）に貯蔵された積分値(Ｖｓｅｎ)が、」「デジタルセンシング値（ＳＤ）に変換され」ることが、本願発明１において「センシング動作期間の間、前記センシング電圧に基づいて」「センシングデータを生成する」ことに相当する。
　そうすると、これらの処理を実施する引用発明の「電流積分器（ＣＩ）及びサンプリング部（ＳＨ）が属するセンシングユニット」及び「ＡＤＣ」は、本願発明１の「センシング回路」に相当するといえる。
　以上より、引用発明の「駆動ＴＦＴ（ＤＴ）に流れるソース−ドレイン間電流（Ｉｄｓ）を積分し、」「電圧値の積分値(Ｖｓｅｎ)に生成」して「サンプリング期間（Ｔｓａｍ）において、」「ホールディングキャパシタ（Ｃｈ）に貯蔵された積分値(Ｖｓｅｎ)が、」「デジタルセンシング値（ＳＤ）に変換され」る「電流積分器（ＣＩ）及びサンプリング部（ＳＨ）が属するセンシングユニット」及び「ＡＤＣ」と、本願発明１の「前記複数カラーの内の第１カラーのピクセルに流れるピクセル電流をセンシングして第１カラーのセンシング電圧を得て、第１カラーのセンシング動作期間の間、前記センシング電圧に基づいて第１カラーのセンシングデータを生成するセンシング回路」とは、「ピクセルに流れるピクセル電流をセンシングしてセンシング電圧を得て、センシング動作期間の間、前記センシング電圧に基づいてセンシングデータを生成するセンシング回路」である点で共通する。
ウ　引用発明の「駆動ＴＦＴの電気的特性の偏差を補償する偏差補償のための補償データ（Ｖｔｈ＋△Ｖｔｈ、Ｋ＋△Ｋ）」は、本願発明１の「ピクセルの電気的特性の補償値」に相当するから、引用発明の「デジタルセンシング値（ＳＤ）は、タイミングコントローラ１１で駆動ＴＦＴのしきい値電圧偏差（△Ｖｔｈ）と移動度偏差（△Ｋ）を導出するために使用され、偏差値（しきい値電圧偏差（△Ｖｔｈ）と移動度偏差（△Ｋ））と偏差補償のための補償データ（Ｖｔｈ＋△Ｖｔｈ、Ｋ＋△Ｋ）を導出する、タイミングコントローラ１１」と、本願発明１の「前記第１カラーのセンシングデータに基づいて前記複数カラーの２つ以上のカラーの前記ピクセルの電気的特性の補償値を計算する補償部」とは、「センシングデータに基づいて前記ピクセルの電気的特性の補償値を計算する補償部」である点で共通する。
エ　引用発明の「有機発光表示装置」は、本願発明１の「電界発光表示装置」に相当する。
（２）一致点及び相違点
　前記（１）の対比の結果をまとめると、本願発明１と引用発明の一致点及び相違点は、以下のとおりである。
ア　一致点
「複数のデータラインと、
　複数のセンシングライン及び複数のゲートラインが備えられ、前記複数の前記データラインと前記複数の前記ゲートラインとの交点ごとにマトリクス状に配置され、複数の表示ラインを構成するピクセルが備えられた表示パネルである、表示パネルと、
　ピクセルに流れるピクセル電流をセンシングしてセンシング電圧を得て、センシング動作期間の間、前記センシング電圧に基づいてセンシングデータを生成するセンシング回路と、
　センシングデータに基づいて前記ピクセルの電気的特性の補償値を計算する補償部とを含む電界発光表示装置。」
イ　相違点
　本願発明１では、表示パネルの「ピクセルが複数カラーのピクセルを含」むものであり、センシングデータが生成されるピクセルは「前記複数カラーの内の第１カラーのピクセル」であり、生成されたセンシングデータに基づいて電気的特性の補償値が計算されるピクセルは「前記複数カラーの２つ以上のカラーの前記ピクセル」であるのに対し、引用発明の表示パネルは複数カラーのピクセルを含むかどうか不明であって、センシング対象の画素（Ｐ）と偏差補償のための補償データを導出する画素とが異なるカラーを含むとはされていない点。
（３）相違点についての判断
　有機発光表示装置の構成として、複数カラーのピクセルを含むものは、特に例を示すまでもなく周知であるから、引用発明に対してこれを適用して複数カラーのピクセルを含むようにする程度のことは、当業者が容易になし得たものであるといえる。
　しかしながら、引用発明は「駆動ＴＦＴの電気的特性の偏差を補償する」ようにした有機発光表示装置であって、「駆動ＴＦＴの電気的特性の偏差」とピクセルのカラーについては、相関関係を有するなどの知見の存在は認められないものであるから、引用発明においては、そもそもセンシングデータが生成されるピクセルのカラーや補償値が計算されるピクセルのカラーを特定しようとする動機が存在しない。
　したがって、本願発明１は、当業者であっても引用発明に基づいて容易に発明できたものとはいえない。
　なお、前置報告書において引用された引用文献２及び引用文献３には、監視されるピクセルのカラーを選定することや他のピクセルについて補償に関する推定を行うことが記載されていると認められるが、これらの文献に記載されている技術は、いずれも発光素子自体の焼き付きによる輝度の変化を補償するものであって、駆動ＴＦＴの電気的特性の偏差を補償する引用発明とは補償対象となる事象が異なる技術である。
　したがって、引用文献２又は引用文献３に記載の技術事項を引用発明に適用することが直ちに容易であるということはできない。また、そのような適用を動機付ける記載も引用文献１−３のいずれにも認められない。
まとめ
　上記のとおり、引用発明と本願発明１は上記相違点を有しており、本願発明１は引用発明と同一の発明ではない。また、本願発明１は引用発明から当業者が容易に発明できたものであるともいえない。
２　本願発明２−９について
　本願発明２−９も、本願発明１の上記相違点に係る構成と同一の構成を備えるものであるから、本願発明１と同じ理由により、引用文献１に記載された発明であるとはいえない。また、当業者であっても、引用文献１に基づいて容易に発明できたものとはいえない。
３　本願発明１０−１５について
　本願発明１０−１５は、本願発明１に対応する駆動方法の発明であり、本願発明１の上記相違点に係る構成に対応する構成を備えるものであるから、本願発明１と同様の理由により、引用文献１に記載された発明であるとはいえない。また、当業者であっても、引用文献１に基づいて容易に発明できたものとはいえない。
第６　原査定について
　本願発明１−１５は、上記相違点に係る構成又はそれに対応する構成を有するものであり、拒絶査定において引用された引用文献１に記載された発明であるとはいえない。また、当業者であっても、引用文献１に基づいて、容易に発明できたものであるとはいえない。
　したがって、原査定の理由を維持することはできない。
第７　むすび
　以上のとおり、原査定の理由によっては、本願を拒絶することはできない。
　また、他に本願を拒絶すべき理由を発見しない。
　よって、結論のとおり審決する。